(57)【要約】【課題】基材に対する粘着剤層の占有面積が上げられ、十分な接着力を保持しつつ、転写終わりの良好な粘着剤切れ性を有し、かつ、転写始めの良好な粘着剤転写性も有する感圧転写テープを提供することを目的とする。【解決手段】基材上に粘着剤層を有する感圧転写テープであって、前記粘着剤層は粘着剤からなる複数の四角形状の粘着剤層が島模様状に前記基材に配置されており、前記複数の四角形状の粘着剤層の各辺が転写方向に対して４０〜５０度傾いており、かつ、前記四角形状の粘着剤層の転写方向の先端の角が欠けていることを特徴とする感圧転写テープである。【選択図】図４
2008019304.tif 000002
【特許請求の範囲】
【請求項１】
基材上に粘着剤層を有する感圧転写テープであって、前記粘着剤層は粘着剤からなる複数の四角形状の粘着剤層が島模様状に前記基材に配置されており、前記複数の四角形状の粘着剤層の各辺が転写方向に対して４０〜５０度傾いており、かつ、前記四角形状の粘着剤層の転写方向の先端の角が欠けていることを特徴とする感圧転写テープ。
【請求項２】
前記四角形状の粘着剤層の転写方向の先端の角が欠けている割合は、転写方向に対して垂直な方向の前記四角形状の対角線を境にして、前記先端が欠けている角を有する三角形の面積の前記先端が欠けている角を有しない他方の三角形の面積に対する面積比として、７０％以上９５％以下である、請求項１に記載の感圧転写テープ。
【請求項３】
前記四角形状が転写方向に対称な四角形状である請求項１または２に記載の感圧転写テープ。
【発明の詳細な説明】
【技術分野】
【０００１】
本発明は、テープ基材上に粘着剤層を設けた感圧転写テープに関するものである。
【背景技術】
【０００２】
近年、両面粘着テープの一つに支持体（芯材）を有さず粘着剤層のみを被着材に転写する無支持体両面粘着テープがあり、感圧転写粘着テープとして様々な分野・用途で使用されている。その構造としては剥離ライナーあるいは剥離性基材の片面に粘着剤層を設けてロール状に巻いたものが多く、最近では主に事務用途向けとして、これらを小巻にして装着した転写装置が「テープのり」などの名称で市販されている。
【０００３】
このような転写装置として、特許文献１は、感圧転写粘着テープを巻き付ける送出リールと、この送出リールより供給される感圧転写粘着テープの粘着剤層を基材から剥離しながら被転写体へ転写させる転着ヘッドと、転写使用後に残った基材を巻き取る巻回リールとを片手で把持使用が可能な容器本体内に装備したことを特徴とする転写装置を開示している。このような装置は、紙の接着において一般に用いられている液体のりや固形のりとは異なり、手を汚すことなく簡単に粘着剤を被着材へと転写でき、接着するまでの乾燥時間が不要である、被着材である紙がしわにならないなどの利点がある。さらにこれらは、必要長さの粘着剤を被着材に転写した後に転写具を被着材から垂直に持ち上げたり横に払うなどすることによって粘着剤層を切断できるので、支持体を有する一般的な両面テープのようにあらかじめテープを必要な長さに切断しておく必要がなく、また、粘着剤層を転写し終えた剥離性基材は転写具内のリールに巻き取られるので使用時にごみが発生しないなど、非常に便利な接着装置である。
【０００４】
しかしながら、このような装置においては、粘着剤層を切断する際、粘着剤層の粘着剤が連続状に塗布されているため切断時に粘着剤が糸を引くように伸びてしまい円滑に切断できない、いわゆる「のり切れ」が悪いという問題があった。この問題を回避するため、従来、粘着剤層を細かいドット状にパターン化したり、間隔を大きく開けてブロック状に配するといった方法が考案されている。ドット状のパターンとしては丸、三角、多角形等の形状が提案され、また、ブロック状のパターンとしては四角形状が提案されている（図１及び図２参照）。これらの方法において、丸形パターンの粘着剤層は四角形の粘着剤層に比べて基材に対する占有面積が小さくせざるをえなく、接着力が低下するという欠点がある。そこで、丸形パターンの粘着剤層の基材に対する占有面積を上げるために、丸形のドット同士の間隔を狭くすると、ドット同士が接触してしまい、利点である「のり切れ」が悪くなる。また、特許文献１は、ドット状のパターンの粘着剤層の基材に対する占有面積を上げるために、ドット同士の間隔を狭くすることを提案している。これにより、十分な接着力を保持しつつ良好なのり切れ性を有する感圧転写粘着テープを提供している。この方法においては、また、転写始めの粘着剤の転写不良が生じることや、さらなるのり切れ性の向上が求められている。
【０００５】
そこで、本発明者は、四角形状の粘着剤層のドットパターンを検討した結果、図２に見られるような粘着剤層の四角形の辺が転写方向と平行になる場合は、図１に見られるような丸形状の粘着剤層のドットパターンに比べて、基材に対する占有面積は上げ易いが、転写終端部でのり部分と被転写物との接触辺が大きくなり、のり切れが悪い。これに対して、図３のように、転写方向に対して、粘着剤層の四角形の辺が約４５度の傾きを有するように配置すると、基材に対する占有面積が上げられ、かつ、粘着剤層の四角形の終端でののり切れも良くなる。しかし、図４のような配置でも、粘着剤層の転写始めの転写不良（転写性の悪さ）が生じる問題があった。
【０００６】
【特許文献１】特開２００１−１９２６２５号公報
【特許文献２】特開２００５−３５０６０７号公報
【発明の開示】
【発明が解決しようとする課題】
【０００７】
さらに、本発明者は上記の問題点を解決すべく種々検討した結果本発明を完成したもであって、本発明の目的は十分な接着力を保持しつつ転写始めの良好な粘着剤転写性及び転写終わりの粘着剤切れ性を有する感圧転写テープを提供するものである。
【課題を解決するための手段】
【０００８】
本発明の感圧転写テープは、基材上に粘着剤層を有する感圧転写テープであって、前記粘着剤層は粘着剤からなる複数の四角形状の粘着剤層が島模様状に前記基材に配置されており、前記複数の四角形状の粘着剤層の各辺が転写方向に対して４０〜５０度傾いており、かつ、前記四角形状の粘着剤層の転写方向の先端の角が欠けていることを特徴とする感圧転写テープである。
【０００９】
本発明の前記の感圧転写テープにおいては、前記四角形状の粘着剤層の転写方向の先端の角が欠けている割合は、転写方向に対して垂直な方向の前記四角形状の対角線を境にして、前記先端が欠けている角を有する三角形の面積の前記先端が欠けている角を有しない他方の三角形の面積に対する面積比として、７０％以上９５％以下であることが好ましい。
【００１０】
本発明の前記の感圧転写テープにおいては、前記四角形状が転写方向に対称な四角形状または等辺四角形状であることが好ましい。
【発明を実施するための最良の形態】
【００１１】
本発明の感圧転写テープは、基材上に粘着剤層を有する感圧転写テープであって、前記粘着剤層は粘着剤からなる複数の四角形状の粘着剤層が島模様状に前記基材に配置されており、前記複数の四角形状の粘着剤層の各辺が転写方向に対して好ましくは４０〜５０度、特に好ましくは約４５度傾いており、かつ、前記四角形状の粘着剤層の転写方向の先端の角が欠けていることを特徴とする感圧転写テープである（図３参照）。このように、複数の四角形状の粘着剤層を島模様状に前記基材上に配置し、かつ、前記複数の四角形状の粘着剤層の各辺が転写方向に対して約４５度傾いることにより、基材に対する粘着剤層の占有面積が上げられ、十分な接着力を保持しつつ、転写終わりの良好な粘着剤切れ性を有する。また、四角形状の粘着剤層の転写方向の先端の角が欠けていることにより、転写始めの良好な粘着剤転写性も有する。
【００１２】
本発明の感圧転写テープにおいては、前記四角形状の粘着剤層の転写方向の先端の角が欠けている割合は、転写方向に対して垂直な方向の前記四角形状の対角線を境にして、前記先端が欠けている角を有する三角形の面積の前記先端が欠けている角を有しない他方の三角形の面積に対する面積比として、７０％以上９５％以下であることが好ましい。この範囲で、特に、転写始めの良好な粘着剤転写性が得られる。
【００１３】
本発明における粘着剤層の形状は、転写方向に対して各辺が約４５度傾いている四角形状であれば特に限定がないが、転写方向に対称な四角形状または等辺四角形状であり、特に、正四角形状および等辺ひし形状が特に好ましい。
【００１４】
本発明における感圧転写テープの粘着剤層に使用される粘着剤としては、従来知られている粘着剤がいずれも使用できる。たとえばアクリル系、ゴム系、シリコン系、ロジン系などのものがあげられ、さらに必要に応じてフィラーや保存剤、着色剤などの各種添加剤を配合することができる。
【００１５】
また、本発明における感圧転写テープの基材としては、粘着剤に対して剥離効果を有するのであれば、いずれのものも使用できる。例えばポリエチレン、ポリエチレンテレフタレート、ポリプロピレン、ポリ塩化ビニル等のプラスチックフィルム、グラシン紙等の紙、金属箔等であり、剥離効果を付与するために必要に応じて片面もしくは両面にシリコン樹脂やフッ素樹脂などからなる剥離層が設けられる。一般的に、基材の厚さは１０〜６０μｍが適当である（特許文献１および特許文献２）。
【００１６】
転写方向の先端の角が欠けている四角形状の粘着剤層を形成する方法としては、シルクスクリーン、グラビア、インクジェット等何れの塗布手段も用いることができる。例えば、グラビア方法においては、転写方向の先端の角が欠けている四角形状に対応させて、予めブラビア版の溝を埋めた形状にすることにより形成できる。また、先端の角が欠けていない四角形状のグラビア版の溝を使用して、先端の角が欠けていない四角形状を塗布できる最適塗工速度より速い塗工速度で、粘着剤を塗布することにより、転写方向の先端の角が欠けている四角形状の粘着剤層を形成できる。
【００１７】
複数の四角形状の粘着剤層の個々の大きさは、通常１〜１００ｍｍ2、好ましくは３〜３６ｍｍ2で、隣接する島相互の間隔は通常０．１〜４ｍｍ、好ましくは０．３〜２．５ｍｍである（特許文献１）。個々の島の大きさを１００ｍｍ2以上にすると粘着剤層を切断する位置の自由度がなくなり、１ｍｍ2以下だと粘着剤の被着材への接触が「面」ではなく「点」に近くなることから十分な接着力が得られない。また隣接する島相互の間隔を４ｍｍ以上にすると被着面に対する有効粘着剤面積が低下し十分な接着力を得られない。間隔が０．１ｍｍ以下では粘着剤がもつ流動性ゆえに隣り合った区画の粘着剤層同士が接触してしまうため、粘着剤を基材上に意図した模様で塗布することが難しく良好なのり切れ性が得られない。
【００１８】
以下の実施例により、本発明を詳細に説明するが、本発明はこれらに限定されるものでない。
【実施例】
【００１９】
粘着剤として市販のアクリル系粘着剤を、両面剥離処理したポリエチレンテレフタレート製フィルムからなるテープ基材にグラビア印刷で塗布して、図４に示すような四角形状でかつ転写方向の先端の角が欠けている粘着剤層を、先端の角の欠け部分のサイズを変えながら、感圧転写テープを得た。粘着剤層の各四角形状の面積を２．２ｍｍ2（欠けのある例においては欠けがない場合の面積）、隣接する粘着剤層相互の間隔を０．３ｍｍとした。
なお、複数の四角形状の粘着剤層の各辺が転写方向に対して約４５度（４０〜５０度）傾いており、粘着剤層の先端の角の欠け部分のサイズは、図５に示すように、転写方向に対して垂直な方向の四角形状の対角線を境にして、先端が欠けている角を有する三角形の面積（Ａ）の、先端が欠けている角を有しない他方の三角形の面積（Ｂ）に対する面積比として表した。
【００２０】
粘着剤層の先端の角の欠け部分のサイズ［Ａ／Ｂ×１００（％）］を、６５％、７０％、８０％、９５％、１００％（比較例として先端が欠けてないもの）と変えて作製した感圧転写テープを評価した。なお、７０％と８０％の実施例例については、先端の角の欠けを作製する手段として、予めグラビア版の、前記欠けに相当する部分を埋めた版を用いる方法、６５％と９５％の実施例については最適塗工速度より速い速度、具体的には最適塗工速度の１２０％（Ａ／Ｂ＝９５％の実施例）、１５０％（Ａ／Ｂ＝６５％の実施例）で塗工する方法をそれぞれ用いた。
また、比較例として、図１および２に示される感圧転写テープを作製し、同様に評価した。これらの評価結果を表１に示す。
なお、実際の量産的塗工速度で塗工した四角形状の粘着剤層において、転写方向の先端の角を意識的に欠けさせている部分以外の四角形状の各角は、図２〜４に見られるいずれのパターンにおいても、小さいまるびをおびるものとなっている。
【００２１】
（評価方法）
接着力は、角の欠け部分なし四角形状（Ａ／Ｂ＝１００％、図３のもの）の接着力を基準（１００％）として評価した。
接着力の評価基準：
◎：９０％以上、接着力が強い。
○：８５％以上、接着力がやや強い。
△：７５％以上、接着力が弱いが、実用上問題なし。
×：７５％未満、接着力が弱く、実用上問題があり。
【００２２】
転写始めの転写性および転写終わりの粘着層切れ性は、肉眼で観察により調べた。
転写始めの転写性、転写終わりの粘着層切れ性および総合評価の評価基準：
◎：きわめて良好。
○：良好。
△：やや不良、実用上問題がある場合もあり。
×：不良、実用上問題あり。
【００２３】
【表１】
2008019304.tif 000003
【００２４】
表１から、粘着剤層の先端の角の欠け部分のサイズ［Ａ/Ｂ×１００（％）］が、７０％未満になると、粘着剤層の面積が減少しすぎて接着力が低下し、９０％を越えると転写始めの粘着剤層転写性が悪く、ひどい場合には粘着剤層の転写抜けが発生する場合があった。８０％以上９５％以下であると接着力、転写始めの粘着剤層転写性および転写終わりの粘着剤層切れ性等、すべての特性が良好となる。
【００２５】
本発明の感圧転写テープは、基材上に粘着剤層を有する感圧転写テープであって、前記粘着剤層は粘着剤からなる複数の四角形状の粘着剤層が島模様状に前記基材に配置されており、前記複数の四角形状の粘着剤層の各辺が転写方向に対して４０〜５０度傾いており、かつ、前記四角形状の粘着剤層の転写方向の先端の角が欠けていることにより、基材に対する粘着剤層の占有面積が上げられ、十分な接着力を保持しつつ、転写終わりの良好な粘着剤切れ性を有し、かつ、転写始めの良好な粘着剤転写性も有する。
【図面の簡単な説明】
【００２６】
【図１】従来技術における感圧転写テープの一例を示す図である。
【図２】従来技術における感圧転写テープの別の一例を示す図である。
【図３】従来技術における感圧転写テープのさらに別の一例を示す図である。
【図４】本発明における感圧転写テープの一例を示す図である。
【図５】本発明における感圧転写テープにおける四角形状の粘着剤層の転写方向の先端の角が欠けている割合を説明するための図である。
【図１】
2008019304.tif 000004
【図２】
2008019304.tif 000005
【図３】
2008019304.tif 000006
【図４】
2008019304.tif 000007
【図５】
2008019304.tif 000008